(57)【要約】  【課題】単純な構造でありながら、必要に応じて用途の使い分けが可能な収納トレーを提供する。  【解決手段】少なくとも上方及び前方に開口したトレー１と、鏡板とを備え、トレー１の前方に着脱可能に鏡板２を取り付けてなる収納トレーＴにおいて、前記トレー１の前方の開口端１０に操作部１１を設けることによりトレー１を単体として使用可能とするとともに、鏡板２を、前記操作部１１を利用し且つ操作部１１の機能を損なわずに取り付けることによっても使用可能としてなることを特徴とする。  【選択図】図１
2005124749.tif 000002
【特許請求の範囲】
【請求項１】
少なくとも上方及び前方に開口したトレーと、鏡板とを備え、トレーの前方に着脱可能に鏡板を取り付けてなる収納トレーにおいて、
前記トレーの前方の開口端に操作部を設けることによりトレーを単体として使用可能とするとともに、
鏡板を、前記操作部を利用し且つ操作部の機能を損なわずに取り付けることによっても使用可能としてなることを特徴とする収納トレー。
【請求項２】
前記操作部が前記トレーの前方の開口端の下側から指を挿入可能な深さ及び奥行き寸法を有する凹陥部を有するものであり、この凹陥部を形成する外壁に上方から鏡板を嵌め込むようにしている請求項１に記載の収納トレー。
【請求項３】
前記操作部を収納トレーの略全幅に亘って設けている請求項１又は２に記載の収納トレー。
【請求項４】
前記鏡板は前記トレーの前方の開口端を構成する外壁を利用して着脱可能に嵌め込んでいる請求項１〜３の何れかに記載の収納トレー。
【請求項５】
前記鏡板は前記外壁の前後方向を規制することによりトレーに取り付けるものである請求項４に記載の収納トレー。
【請求項６】
前記鏡板は前記トレーの前方の開口端を上側から覆うものである請求項１〜５の何れかに記載の収納トレー。
【請求項７】
前記鏡板が透明な板材からなる請求項１〜６の何れかに記載の収納トレー。
【請求項８】
操作部及び鏡板の間にラベルを挟み込むようにしている請求項７に記載の収納トレー。
【請求項９】
ラベルを鏡板の前方略全面に亘って挟み込むようにしている請求項８に記載の収納トレー。
【請求項１０】
鏡板の上面側の略全幅に亘って指を挿入可能な深さ及び奥行き寸法の凹陥部を有する第２操作部を設けた請求項１〜９の何れかに記載の収納トレー。
【請求項１１】
全体が樹脂からなる請求項１〜１０の何れかに記載の収納トレー。
【発明の詳細な説明】
【技術分野】
【０００１】
本発明は、用紙類や書類、事務用品等の収納用に用いられる収納トレーに関するものである。
【背景技術】
【０００２】
従来より、用紙類や書類、事務用品等の収納用に用いられる収納トレーは、保管用と仕分け用との２種類のものが用いられてきた。保管用の収納トレーとは、上面にのみ開口を有する箱形のもので、主に小物類の収納や、書類を離散し難く収納する用途に用いられるものである。一方、仕分け用の収納トレーとは、上面と前面とに開口を有するもので、書類等を前面の開口より取り出せる様に収納する用途に用いられている。
【０００３】
また、収納トレーの一部分を、係合部分を介して着脱可能な構造として、保管用のトレーと仕分け用のトレーとを共用するものが提案されている。そのようなもののなかには、特許文献１のように、鏡板と対面する立て板が着脱可能な収納トレーであって、立て板を取り付けて保管用とし、立て板をはずしてトレー本体を前後方向に反転させることにより仕分け用とする収納トレーが提案されている。
【特許文献１】特開平８−６６２５１号公報
【発明の開示】
【発明が解決しようとする課題】
【０００４】
しかしながら、特許文献１のような鏡板と対面する立て板を着脱可能としたものではトレーを掴むための操作部を別々に設けなければならず、収納トレーの構造がいきおい複雑なものとなってしまい、それによって生産コストにまで影響してしまう。
【０００５】
本発明は、このような不具合を解消することに着目したものであり、単純な構造でありながら、必要に応じて用途の使い分けが可能な収納トレーを提供する。
【課題を解決するための手段】
【０００６】
本発明は、このような目的を達成するために、次のような手段を講じたものである。すなわち、本発明に係る収納トレーは、少なくとも上方及び前方に開口したトレーと、鏡板とを備え、トレーの前方に着脱可能に鏡板を取り付けてなる収納トレーにおいて、前記トレーの前方の開口端に操作部を設けることによりトレーを単体として使用可能とするとともに、鏡板を、前記操作部を利用し且つ操作部の機能を損なわずに取り付けることによっても使用可能としてなることを特徴とする。
【０００７】
このようなものであれば、鏡板を取り付けることにより保管用とし、鏡板を取り外すことにより仕分け用とする選択が可能な収納トレーにおいて、使用者が指をかけてスライド操作を行う操作部を、保存用と仕分け用とで共通のものとすることができる。そのため、操作部を用途ごとに別途設ける必要がなく、収納トレーの構造を簡素化することができる。
【０００８】
操作部が前方の開口端の下側から指を挿入可能な深さ及び奥行き寸法を有する凹陥部を有するものであり、この凹陥部を形成する外壁に上方から鏡板を嵌め込むようにしているものであれば、鏡板及びトレーの係合箇所の構造を単純なものとすることができるので、生産コストの低減を図ることができる。また、操作部の下側から指を掛けることにより収納トレーを容易にスライドさせることができるとともに、操作部の奥行き寸法に対応した厚みを鏡板に持たせることができるため、鏡板を取り付けた収納トレーが掴みやすいものとなるので、持ち運びし易い収納トレーとすることができる。
【０００９】
操作部をトレーの略全幅に亘って設けているものであれば、引出操作がより行いやすいものとなる。
【００１０】
また、鏡板はトレーの前方の開口端を構成する外壁を利用して着脱可能に嵌め込んでいるものであれば、鏡板を、トレーの操作部のみならず外壁にも係わり合わせながら取り付けることができるため、例えば、操作部及び鏡板の上部を掴んで収納トレーを持ち運ぶ際に働く、鏡板及び外壁の上部が離反する力を確実に禁止することができる。具体的には、鏡板は外壁の前後方向を規制することによりトレーに取り付けるものであると、鏡板及び外壁の上部が離反する力をより確実に禁止することができる。さらに、鏡板はトレーの前方の開口端を上側から覆うものであれば、上記効果をより有効なものとすることができる。
【００１１】
そして、トレーに鏡板を取り付けた状態においても収納物の中身を好適に視認することができるように、鏡板が透明な板材からなるものとするのが好ましい。そして、ラベルを取り付ける箇所を別途設けなくて済むように、操作部の外壁及び鏡板の間にラベルを挟み込めるようなものが好ましい。そのラベルが鏡板の前方略全面に挟み込めるものであれば、鏡板全面に亘るような大型のラベルを用いることができるため、視認性が向上するとともに、鏡板全面に亘ってトレーの収納物を視認不能に遮蔽することができるので、ラベルの有無によって収納物の視認の可否を容易に選択することができる。
【００１２】
さらに、鏡板の上面側の略全幅に亘って指を挿入可能な深さ及び奥行き寸法の凹陥部を有する第２操作部を設けたものであれば、鏡板の上部を掴みやすいものとすることができる。
【００１３】
本発明に係る収納トレーの全体が樹脂からなるものとすれば、トレー全体を軽量に作ることができるとともに、低コストで生産することが可能となる。
【発明の効果】
【００１４】
以上説明したように本発明によれば、保管用と仕分け用とを選択することが可能な収納トレーにおいて、使用者が指をかけてスライド操作を行う操作部を、保存用と仕分け用とで共通のものとすることができる。そのため、操作部を用途ごとに別途設ける必要がなく、収納トレーの構造を簡素化することができる。
【発明を実施するための最良の形態】
【００１５】
以下、本発明の一実施の形態について図面を参照して説明する。
【００１６】
本実施形態に係る収納トレーＴは、例えば、前面に開口する収納空間を有する図示しない収納家具に着脱可能に取り付けることが可能なものである。その収納家具は収納空間の立壁に、上下方向に所定間隔をもって水平方向に延びる複数のレールを有している。収納トレーＴはそのうちの２本のレール間に上下方向への移動を規制されながら奥行き方向にスライド可能に取り付けられるものである。また、収納家具はこの分野で広く知られている周知のものである。
【００１７】
本実施形態に係る収納トレーＴは、図１及び図２に示すように、トレー１と鏡板２とで構成されており、トレー１の前方の開口端１０に設けられた操作部１１に、鏡板２を着脱可能に取り付けてなるものである。そして、トレー１及び鏡板２は、外側からの視認性を良くするとともにコスト削減及び軽量化を図りながら必要十分な強度を得るように、透明の樹脂による一体成形としている。これらトレー１及び鏡板２の表面には、後述する箇所を除き、半透明状になるようその表面にシボ加工を施している。また、トレー１及び鏡板２はどちらも左右略対象の形状を有している。この図１は、鏡板２の前方略全面に亘る面積を有する短冊状の厚紙であるインデックスｘを、トレー１と鏡板２との間に挟み込んだ状態を示している。
【００１８】
以下、トレー１及び鏡板２の構成について具体的に説明する。
【００１９】
トレー１は図２に示すように上面及び前面に開口を有する箱状体であって、開口端１０に設けられた操作部１１と、操作部１１の後側に接続した底板１２と、底板１２の両端よりに立ち上がる左右両側板１３、１４と、底板１２及び側板１３、１４の後端に接続した背面１５とで構成されている。
【００２０】
操作部１１は、樹脂板を上向き台形状に屈曲させることにより該台形の平面部分１１１の前側を真下に屈曲させて指掛け部１１２とするとともに、平面部分１１１の後側より斜め下へ傾斜する後傾斜壁１１３を構成することにより、指を下側から挿入させやすい凹陥部Ｙを形成している。操作部１１の前端部、すなわち指掛け部１１２の下端部を底板１２の位置より若干上側に位置させ、樹脂の厚みの２倍程度の寸法だけ前方に直角に折り曲げて鏡板止め１１４を形成している。この鏡板止め１１４には、鏡板２を取り付けた際に前記指掛け部１１２の外面１１２ａの間に所定の空間を設けるための間隙突起１１５を２箇所に設けている。また、トレー１のみで使用する場合にマーカ等で直接書き込みを行うことやシールを貼ること等がし易いよう、前記平面部分１１１の上面右側に、長方形状のシボ無面ｆ１を設けている。
【００２１】
底板１２は、上面側を平面としているとともに、下面側には、たわみ強度を向上させるために、奥行き方向、幅方向に３等分する位置及び周縁の一部より、突条である底リブ１２１を突出させている。
【００２２】
側板１３、１４は、その前端部分においてトレー１の開口端１０を構成する外壁１３１、１４１と、外壁１３１、１４１の後側においてやや内側に位置し、下側で底板１２と接続した内壁１３２、１４２とで構成している。外壁１３１、１４１はトレー１の中で最も外側に位置し、内壁１３２、１４２とは中間壁１３３、１４３を介して接続している。
【００２３】
内壁１３２、１４２のやや下側の箇所には、奥行き方向へ伸びるスライドリブ１３４、１４４が外方向へおよそ外壁１３１、１４１の位置までそれぞれ突出している。このスライドリブ１３４、１４４は、奥行き方向に延びる長方形状のリブ本体ＳＲの内部に補強リブｓｒを適宜配した構成としている。特に、この補強リブｓｒはスライドリブ１３４、１４４の奥側３分の１程度の箇所まで短間隔で配することによりその強度を部分的に高めている。これは、トレー１を収納家具より引き出した状態では、スライドリブ１３４、１４４の奥側にトレー１及び収納物の重量が集中するからである。また、そのときにはスライドリブ１３４、１４４の奥端上部が収納家具のレールに当接することにより、トレー１及び収納物の重量を最も受けることとなる。そこで、スライドリブ１３４、１４４の奥端上部にリブの厚みを厚くした厚肉部１３４ａ、１４４ａを設けてその強度を局所的に高めている。また、トレー１を収納家具に収納した状態において、収納家具のレールの前後端は、スライドリブ１３４、１４４の手前下側に設けられたストッパ１３４ｂ、１４４ｂ及び奥下側に設けられたスライダ１３４ｃ、１４４ｃにより位置決めしている。このスライダ１３４ｃ、１４４ｃはトレー１をスライドする際にレールと点で接触する作用を果たす。そのため、レールとスライドリブ１３４、１４４との摩擦を最小限に抑えた滑らかなスライド動作を可能としている。
【００２４】
側板１３、１４の奥行き方向に２等分及び３等分する位置には仕切孔ｓｈをそれぞれ配している。
【００２５】
背板１５は、幅方向に２等分及び３等分する位置に仕切孔ｓｈを配している。
【００２６】
なお、このトレー１のみで上述の収納家具に取り付けることにより、トレー１をスライドさせない簡易棚板とするか、又は補助的にスライドさせるのみで収納物の出し入れをすることができる仕分け用トレーとすることができる。
【００２７】
鏡板２は、図３（Ａ）及び図３（Ｂ）に示すように、上述したトレー１の開口端１０を上方向から覆うことができるよう、下端側が開放された箱状体であり、前面板２１と、上面部２２と、背面部２３と、側部２４、２５とで構成している。
【００２８】
収納トレーＴを収納家具に収納した際に外部に露出する部分を前面板２１として平坦な板で構成するとともに、その右上部分に、マーカ等で直接書き込みを行うことやシールを貼ること等がし易いよう、長方形状のシボ無面ｆ２を設けている。また、前面板２１は、その両側端を除いて若干窪んだ正面視略Ｈ形となっている。
【００２９】
上面部２２は、収納トレーＴの最上端となる上面視コの字状の上端面２２１と、前記コの字に囲まれた部分に設けた指を挿入可能な程度の凹陥部Ｙ２を有する第２操作部２２２とで構成している。
【００３０】
背面部２３は、その上端を上述した上端面２２１に接続するとともに、該接続箇所から若干下方において段２３１を形成し、その下側に背面板２３０を接続している。段２３１を幅方向に２等分及び３等分する位置にフック孔２３２を配するとともに、フック孔２３２よりやや下方には前記背板１５と同様の仕切孔ｓｈを配している。ここで、この段２３１の高さ位置は鏡板２をトレー１に取り付けた際に背板１５の上端に等しい高さ位置に設定されており、仕切孔ｓｈの位置は背板１５に設けたものと高さ・幅方向ともに対応している。
【００３１】
側部２４、２５は、トレー１の外壁１３１、１４１を側方から覆うことにより収納トレーＴの意匠的要素を構成している側面板２４１、２５１に、側面板２４１、２５１の前端部付近より内側へ突出する破線で示した前止め２４１ａ、２５１ａと、側面板２４１、２５１の後端辺上側より内側へ突出する後止め２４１ｂ、２５１ｂと、この後止め２４１ｂ、２５１ｂの下方に隣接し、後方へ突出する抜け止め２４２、２５２とを配した構成としている。抜け止め２４２、２５２の先端部分はさらに内方へ逆３角形状に突出している。
【００３２】
トレー１に鏡板２を上方向から嵌め込み、図１に示す収納トレーＴとするためには、鏡板２の側面板２４１、２５１の位置をトレー１の外壁１３１、１４１を両側から挟み込む幅方向位置に合わせ、トレー１の鏡板止め１１４の箇所に、前面板２１の位置を合わせて、前面板２１の下端辺が鏡板止め１１４に当接するまで下降させる。
【００３３】
この状態において、Ａ−Ａ断面図である図４に示すように、前面板２１が鏡板止め１１４に当接するのみならず後方では背面板２３０の下端辺が後傾斜壁１１３に当接している。言い換えれば、鏡板２の前面板２１及び背面板２３０が操作部１１の外壁１１ａを前後より挟み込むように位置することにより、鏡板２は操作部１１の機能を損なわずにトレー１に取り付けられている。また、前面板２１と操作部１１の前方にある指掛け部１１２の外面１１２ａとの間に、間隙突起１１５が介在していることで厚紙が挿入可能な程度の間隙を形成しているとともに、その間隙を厚みとする前面板２１の裏側略全域をインデックス領域Ｘとしている。また、インデックス領域Ｘの下端は前面板２１と間隙突起１１５との間に、インデックス領域Ｘの上端は前面板２１と第２操作部２２２との間に挟まれているため、インデックスｘが前面板２１の裏側に固定された状態となる。このインデックスｘを使用する際は、該インデックスｘと前面板２１との間に別のラベルを挟み込むことや、インデックスｘに書き込みを行ってインデックスｘ自体をラベルとして扱うこともできる。また、インデックスｘを取り外した状態として、鏡板２を通して収納トレーＴの収納物をある程度視認可能な状態とすることもできる。
【００３４】
Ｂ−Ｂ断面図である図５及びＣ−Ｃ断面図である図６に示すように、側部２５は、前止め２５１ａによりインデックスｘを収納するインデックス領域Ｘを前方に確保しつつ、当該前止め２５１ａを外壁１４１の前端辺に当接させるとともに後止め２５１ｂを中間壁１４３に後側から当接させることにより、外壁１４１を前後方向より挟み込んでいる。言い換えれば、側部２５により鏡板２がトレー１に前後方向に移動不能に取り付けられている。また、幅方向には、外壁１４１を外側から側面板２５１が当接するともに、内側から背面板２３０の側端辺が内壁１４２と当接することにより、鏡板２の側部２５はトレー１の側板１４を幅方向より挟み込んでいる。言い換えれば、側部２５により鏡板２がトレー１に幅方向に移動不能に取り付けられている。勿論、左右の両側面板２４１、２５１が両外壁１３１、１４１を挟み込むことによっても同様の作用を得ている事は言うまでもない。さらに、外壁１４１の上端辺は、上面部２２の側端部分に当接しているとともに、スライドリブ１３４、１４４の内部に抜け止め２４２、２５２が嵌合した状態となっている。そのため、トレー１と鏡板２は上下方向にも移動不能に取り付けられている。ここで、上述の通りトレー１及び鏡板２は左右略対称の形状を有するため、図示しない側部２４及び外壁１３１の周辺の構造に関しても上記構造と同様である。
【００３５】
本実施形態に係る収納トレーＴは、収納トレーＴを幅方向及び奥行き方向にそれぞれ２等分及び３等分する位置に、上述した仕切孔ｓｈを利用して、図７及び８に示すような縦仕切３及び横仕切４をそれぞれ取り付けることができる。これら縦仕切３及び横仕切４は、側縁に設けた突起３１、４１を仕切孔ｓｈにそれぞれ嵌め入れることにより取り付けることができるものである。また、縦仕切３の場合、突起３１に加え、両側縁の上端にフック３２をそれぞれ設けており、フック３２を背面部２３のフック孔２３２及び背板１５上端に掛けることにより、縦仕切３の取付状態を安定させるとともに、この縦仕切３を利用してトレー１と鏡板２とをさらに強く取り付けることができる。また、縦仕切３及び横仕切４はそれぞれスリット３３、４３を配している。縦仕切３及び横仕切４を交差させる際はこれらスリット３３、４４を嵌め合わせることにより、互いに干渉させることなく取り付けることができる。
【００３６】
以上のような構成とすることにより、本実施形態に係る収納トレーＴは、鏡板２を操作部１１に着脱可能とすることにより、鏡板２を取り付けることにより保管用とし、鏡板２を取り外すことにより仕分け用のトレー１のみで使用する選択ができるとともに、保存用として収納トレーＴとして使用する態様と、仕分け用としてトレー１のみで使用する態様とで操作部１１を共通のものとすることができる。そのため、操作部１１を用途ごとに別途設ける必要がなく、収納トレーＴの構造を簡素化することができる。
【００３７】
操作部１１が開口端１０の下側から指を挿入可能な深さ及び奥行き寸法を有する凹陥部Ｙを有するものであり、この凹陥部Ｙを形成する外壁１１ａに、上方から鏡板２を嵌め込むようにしているので（図４）、鏡板２及びトレー１の係合部分の構造を単純なものとすることができるので、生産コストの低減を図ることができる。また、操作部１１の奥行き寸法に対応した厚みを鏡板２に持たせることができるため、掴みやすく、持ち運びし易い収納トレーＴとすることができる。加えて、指掛け部１１２の下端は底板１２よりも上側に位置しているため、使用者は指を挿入し易くなっているとともに、操作部１１の後部の後傾斜壁１１３は、指の動きに干渉しないような逃げ空間ｙ（図４）を形成しているので、使用者が指掛け部１１２に指を掛けやすいものとなっている。
【００３８】
本実施形態では操作部１１をトレー１の略全幅に亘って設けているので、使用者が開口端１０の下側のどこを掴んでも収納トレーＴを引き出せるようになっている。
【００３９】
また、操作部１１及び鏡板２の上部を掴んで収納トレーＴを持ち運ぶ際に、操作部１１を支点として鏡板２及び外壁１３１、１４１の上部がそれぞれ離反する方向の力が働くが、本実施形態ではトレー１の開口端１０を構成する外壁１３１、１４１を利用して鏡板２を着脱可能に嵌め込んでいるので、その力を確実に禁止している。具体的には、鏡板２は外壁１３１、１４１の前後方向を規制しながらトレー１に嵌め込んでいるので、より確実に前記離反する力を禁止することができる。さらに、鏡板２はトレー１の前方の開口端１０を上側から覆うように嵌め込んでいるので、上記効果に加えて、トレー１の開口端１０を鏡板２で覆い隠すことにより、収納トレーＴとしての意匠的要素を向上させている。
【００４０】
そして、トレー１に鏡板２を取り付けた状態においても収納物の中身を好適に視認することができるよう、鏡板２が透明な板材からなるものとしている。またそうすることで、鏡板２にはラベルたるインデックスｘの取付箇所を別途設けることをせず、操作部１１の外壁１１ａ及び鏡板２の間にインデックス領域Ｘを設けてインデックスｘを挟み込むようにしている。このインデックス領域Ｘは、インデックスｘを鏡板２の略全面に差し込めるようにして、鏡板２の全面に亘るような大型のインデックスｘを用いて収納トレーＴの視認性を向上させている。併せて、インデックスｘは収納トレーＴの収納物を視認不能に遮蔽することも可能となるので、インデックスｘを取り外して視認可能な状態とすれば共用のトレーとして、或いはインデックスｘ取り付けて視認不可能な状態とすれば個人用トレーとして用いることができるよう、収納トレーＴの使い分けができるようになる。なお、収納トレーＴの収納物を視認可能な状態としつつラベルを設けたい場合は、任意の大きさのインデックスｘをインデックス領域Ｘに挟み込むか、シボ無し面ｆ２を利用すればよい。
【００４１】
さらに、鏡板２の上面側の略全幅に亘って指を挿入可能な深さ及び奥行き寸法を有する凹陥部Ｙ２を有する第２操作部２２２としているので、鏡板２の上部も掴みやすくなるので、収納トレーＴの引出操作をさらに容易なものとすることができる。
【００４２】
以上、本発明の実施形態について説明したが、各部の具体的な構成は、上述した実施形態のみに限定されるものではなく、本発明の趣旨を逸脱しない範囲で種々変形が可能である。
【００４３】
例えば、本発明に係る収納トレーは底面積や高さ寸法によって限定されるものではない。それ故に、収納トレーを取り付けようとする収納家具の大きさや収納する態様に合わせて、底面積や高さ寸法がそれぞれ異なるものであってもよい。また、上記実施形態に係る収納トレーは、スライドリブを介して収納家具と係わり合っていたが、例えば、底板を幅方向に突出させて、収納家具の上下のレール間に係わり合うようなものであっても良い。
【００４４】
その他、各部の具体的構成についても上記実施形態に限られるものではなく、本発明の趣旨を逸脱しない範囲で種々変形が可能である。
【図面の簡単な説明】
【００４５】
【図１】本実施形態に係る収納トレーを示す斜視図。
【図２】同実施形態に係るトレーを示す斜視図。
【図３】同実施形態に係る鏡板を示す斜視図。
【図４】同実施形態に係るＡ−Ａ断面図。
【図５】同実施形態に係るＢ−Ｂ断面図。
【図６】同実施形態に係るＣ−Ｃ断面図。
【図７】同実施形態に係る縦仕切を示す平面図。
【図８】同実施形態に係る横仕切を示す平面図。
【符号の説明】
【００４６】
１…トレー
１０…前方の開口端（開口端）
１１…操作部
１１ａ…操作部の外壁（外壁）
１３、１４…側板
１３１、１４１…外壁
２  …鏡板
２１…前面板
２２…上面部
２２２…第２操作部
２３…背面部
２３０…背面板
２４、２５…側部
２４１ａ、２５１ａ…前止め
２４１ｂ、２５１ｂ…後止め
Ｔ  …収納トレー
Ｙ、Ｙ２  …凹陥部
Ｘ  …インデックス領域
ｘ  …ラベル（インデックス）
【図１】
2005124749.tif 000003
【図２】
2005124749.tif 000004
【図３】
2005124749.tif 000005
【図４】
2005124749.tif 000006
【図５】
2005124749.tif 000007
【図６】
2005124749.tif 000008
【図７】
2005124749.tif 000009
【図８】
2005124749.tif 000010